(57)【特許請求の範囲】
【請求項１】
射出成形によりホース（Ｈ）を一体に組み付けて形成したコネクタにおいて、
通路を有するコネクタ本体（１１）と、該コネクタ本体（１１）の一端部から円筒形状に突設された外側挟持部材（１２）と、上記コネクタ本体（１１）の一端部から円筒形状に突設されかつ上記外側挟持部材（１２）との間でホース（Ｈ）を挟持する内側挟持部材（１３）とを備え、
上記内側挟持部材（１３）は、上記コネクタ本体（１１）から突設された内側基部（１４）と、上記内側基部（１４）と一体になった内側連結部（１５）とを有し、
上記内側連結部（１５）は、円筒部（１５ａ）と、該円筒部（１５ａ）の外周部から環状に突設され上記ホース（Ｈ）の内壁に入り込むことにより該ホース（Ｈ）を抜止する拡張部（１５ｂ）と、上記円筒部（１５ａ）の一端部から突設されたアンカー部（１５ｃ）とを備え、
上記内側基部（１４）は、上記アンカー部（１５ｃ）を囲みかつ上記ホース（Ｈ）の内壁を保持するように円筒形状に形成され、
上記外側挟持部材（１２）は、上記内側挟持部材（１３）の拡張部（１５ｂ）を覆う位置まで形成され、
上記コネクタ本体（１１）、上記外側挟持部材（１２）および上記内側基部（１４）は、上記内側連結部（１５）をインサート部材としてセットされて射出成形されていること、
を特徴とするコネクタ。
【請求項２】
請求項１に記載のコネクタにおいて、
上記ホース（Ｈ）は、該ホース（Ｈ）の外面および内面に塗布した接着剤を介在して上記外側挟持部材（１２）および内側挟持部材（１３）に接着されているコネクタ。
【発明の詳細な説明】
【技術分野】
【０００１】
本発明は、ホースを一体に組み付け、射出成形により形成したコネクタに関する。
【背景技術】
【０００２】
従来、この種のコネクタとして、特許文献１の技術が知られている。すなわち、コネクタは、３方に分岐した分岐管を有するコネクタ本体と、各々の分岐管に接続されたホースと、コネクタ本体の分岐部の外側であってホースを挟むように射出成形された樹脂カバーとを備えている。分岐管の外周部には、ホースの内壁に組み込みかつ拡径する断面三角形の環状突部が形成されている。こうしたコネクタを製造するには、予め射出成形によりコネクタ本体を成形し、分岐管に各々のホースを挿入し、さらにホースの端部の外周面に樹脂カバーを射出成形により被覆することにより行なっている。
【０００３】
従来のコネクタでは、樹脂カバーによるホースを押さえる力がさほど大きくないために、ホースがコネクタ本体から抜けやすい。このため、ホースを分岐管とホースとの接続強度を大きくするために上記環状突部を大きくすると、ホースの挿入作業性が低下するという問題がある。
【０００４】
【特許文献１】実願平５−５０７４２号（実開平７−２８２９１号）のマイクロフィルム
【発明の開示】
【発明が解決しようとする課題】
【０００５】
本発明は、上記従来の技術の問題点を解決することを踏まえ、コネクタ本体にホースを接続する作業が容易であり、しかもコネクタ本体とホースとの接合強度が高いコネクタを提供することを目的とする。
【課題を解決するための手段】
【０００６】
上記課題を解決するためになされた本発明は、
射出成形によりホースを一体に組み付けて形成したコネクタにおいて、
通路を有するコネクタ本体と、該コネクタ本体の一端部から円筒形状に突設された外側挟持部材と、上記コネクタ本体の一端部から円筒形状に突設されかつ上記外側挟持部材との間でホースを挟持する内側挟持部材とを備え、
上記内側挟持部材は、上記コネクタ本体から突設された内側基部と、上記内側基部と一体になった内側連結部とを有し、
上記内側連結部は、円筒部と、該円筒部の外周部から環状に突設され上記ホースの内壁に入り込むことにより該ホースを抜止する拡張部と、上記円筒部の一端部から突設されたアンカー部とを備え、
上記内側基部は、上記アンカー部を囲みかつ上記ホースの内壁を保持するように円筒形状に形成され、
上記外側挟持部材は、上記内側挟持部材の拡張部を覆う位置まで形成され、
上記コネクタ本体、上記外側挟持部材および上記内側基部は、上記内側連結部をインサート部材としてセットされて射出成形されていること、
を特徴とする。
【０００７】
本発明にかかるコネクタは、コネクタ本体の一端部から円筒形状の外側挟持部材および内側挟持部材を突設し、外側挟持部材と内側挟持部材との間にホースを挟持することにより、一体的にホースを組み付けている。内側挟持部材は、コネクタ本体の一端部から形成された内側基部がインサート部材としてセットされた内側連結部に一体化されている。内側連結部は、拡張部を備えており、拡張部がホースの内壁に入り込むことによりホースを抜止する。すなわち、射出成形の際に、内側連結部は、インサート部材として用いることで、内側基部を介してコネクタ本体、外側挟持部材と強固に一体化するとともにホースに対する抜止めとして作用する構成を簡単に実現している。
【０００８】
本発明の好適な態様として、上記ホースの外面および内面に塗布した接着剤を介在してホースを上記外側挟持部材および内側挟持部材に接続した構成をとることができる。この構成により、ホースと外側挟持部材および内側挟持部材との接続強度を高めることができる。
また、他の好適な態様として、上記外側挟持部材は、上記内側挟持部材の拡張部を覆う位置まで形成する構成をとることができる。この構成により、外側挟持部材と拡張部とでホースの内外周壁から挟持することによりホースの抜止力を高めることができる。
さらに、他の好適な態様として、上記内側連結部は、上記内側基部の一部で囲まれるように形成されたアンカー部を備える構成をとることができる。この構成により、アンカー部が内側基部の一部で囲まれることで内側連結部の一体性を高めることができる。
【発明を実施するための最良の形態】
【０００９】
以上説明した本発明の構成・作用を一層明らかにするために、以下本発明の好適な実施例について説明する。
【００１０】
（１）  コネクタの概略構成
図１は本発明の一実施例にかかるパイプＰを接続したコネクタを示す断面図である。本実施例は、自動車のラジエータホースなどの配管に使用されるコネクタである。コネクタ１０は、ホースＨを一体的に組み付けるとともに射出成形により一体成形されており、パイプＰに接続するものである。ホースＨは、内層Ｈａと、外層Ｈｂと、内層Ｈａと外層Ｈｂとの間に介在する補強層Ｈｃとから形成され、ＥＰＤＭなどから形成されている。パイプＰは、コネクタ１０内に挿入され、Ｏリング２０によりコネクタ１０との間をシールされ、Ｏリング２０をスペーサ２１で押さえるとともに、抜止金具２２によりコネクタ１０から抜止めされている。
【００１１】
（２）  コネクタ１０の構成
図２はコネクタを示す断面図である。コネクタ１０は、通路１１ａを有するコネクタ本体１１と、外側挟持部材１２と、内側挟持部材１３とを備え、これをポリフェニレンサルファイド（ＰＰＳ）、ポリアミド（ＰＡ６６）のガラス入りなどの樹脂材料により形成している。
コネクタ本体１１は、円筒形状であり、パイプＰを挿入する通路１１ａを備えている。コネクタ本体１１には、周方向に沿って細長い切欠き１１ｂが形成され、さらにその外周部には、図１に示す抜止金具２２を支持する保持溝１１ｃが形成されている。したがって、抜止金具２２は、保持溝１１ｃに保持され、切欠き１１ｂに突入しさらにパイプＰの外周の溝Ｐａ（図１）に嵌ることによりパイプＰをコネクタ本体１１に抜止めしている。
【００１２】
外側挟持部材１２は、コネクタ本体１１の一端部から円筒形状に突設されている。
内側挟持部材１３は、コネクタ本体１１の一端部から円筒形状に突設され、かつ上記外側挟持部材１２の内径側に配置され外側挟持部材１２とともに、ホース挿入間隙１６に挿入されたホースＨを挟持している。内側挟持部材１３は、上記コネクタ本体１１から突設された内側基部１４と、上記内側基部１４と一体になった内側連結部１５とから形成されている。内側連結部１５は、射出成形の際にインサート部材としてセットされることで内側基部１４に一体化されている。内側連結部１５は、円筒部１５ａと、円筒部１５ａの外周部に突設された拡張部１５ｂと、円筒部１５ａの端部から突設されたアンカー部１５ｃとを備えている。拡張部１５ｂは、ホースＨの内壁に入り込むことにより該ホースＨを抜止めしている。また、アンカー部１５ｃは、上記内側基部１４の一部で囲まれるように突設されることで内側基部１４との一体化を高めている。
【００１３】
（３）  コネクタ１０の製造工程
図３ないし図６はコネクタ１０の製造工程を説明する説明図である。コネクタ１０は、樹脂の射出成形により成形される。図３において、まず、中子３０に内側挟持部材１３（図２）の一部を構成する内側連結部１５をセットする。中子３０は、コネクタ１０の内壁にほぼ倣った形状の外形を有しており、つまり順次縮径された円柱形状である、大径部３１、接続段部３２および小径部３３により形成されている。小径部３３にインサート部材として内側連結部１５がセットされる。このとき、小径部３３の外周を僅かに縮径することにより形成した位置決め段部３３ａに内側連結部１５の円筒部１５ａの内側端を突き当てて位置決めする。図４は内側連結部１５を示す斜視図である。内側連結部１５は、上述したように、円筒部１５ａと、円筒部１５ａの外周部から山脈状に拡径された拡張部１５ｂと、円筒部１５ａの一端から突設されたアンカー部１５ｃとを備えている。アンカー部１５ｃは、脚部１５ｄから爪１５ｅを軸心に向けて突設することにより形成されている。なお、アンカー部は、円筒部１５ａから突設した薄く肉の円筒形状などの各種の形状とすることができる。
【００１４】
続いて、図５に示すように、内側連結部１５を中子３０に位置決めした後に、その外周側にホースＨを圧入し、さらに、図６に示すように、組付体を金型４０にセットする。金型４０は、上型４１と下型４２からなり、その間にキャビティ４３を形成しており、キャビティ４３は、内側挟持部材１３を形成するためのキャビティ４３ａを備えている。そして、図示しない射出成形機から、キャビティ４３に溶融樹脂を射出する。内側連結部１５は、溶融樹脂と同じ樹脂材料であるから、キャビティ４３内に溶融樹脂が冷却固化することにより一体化してコネクタ１０が成形される。このとき、キャビティ４３ａ内に溶融樹脂が流れ込み、内側連結部１５の内側に入り込んだ樹脂により内側基部１４が形成される。
【００１５】
（４）  コネクタ１０の作用・効果
（４）−１  コネクタ１０は、コネクタ本体１１の一端部から円筒形状の外側挟持部材１２および内側挟持部材１３を突設し、外側挟持部材１２と内側挟持部材１３との間にホースＨを挟持することにより、一体的にホースＨを組み付けている。よって、射出成形によってホースＨがコネクタ１０に一体化するからホースＨの挿入作業がなくなり、生産性に優れている。
（４）−２  内側挟持部材１３の内側連結部１５は、射出成形の際のインサート部材として用い、アンカー部１５ｃが内側基部１４の一部で囲まれることで内側連結部１５との一体性を高めている。しかも、アンカー部１５ｃは、インサート部材としての内側連結部１５に形成しているから、複雑な形状であっても成形することが容易であり、射出成形時の金型の構成も複雑にする必要がない。
（４）−３  内側連結部１５の拡張部１５ｂは、ホースＨの内壁に入り込むことによりホースＨを抜止している。この拡張部１５ｂは、アンカー部１５ｃと同様にインサート部材としての内側連結部１５に形成しているから、複雑な形状であっても成形することが容易であり、射出成形時の金型の構成も複雑にする必要がない。
【００１６】
（５）  他の実施例および変形例
この発明は上記実施例に限られるものではなく、その要旨を逸脱しない範囲において種々の態様において実施することが可能であり、例えば次のような変形も可能である。
（５）−１  図７は他の実施例にかかるコネクタ１０Ｂを示す断面図である。図７に示すように、ホースＨの中子にセットする作業性やホースＨの抜止力を考慮して、外側挟持部材１２Ｂの端部で内側連結部１５Ｂの拡張部１５Ｂｂを大きく拡張したり、円筒部１５Ｂａを短く形成したりする構成をとってもよい。
（５）−２  内側連結部１５は、インサート部材として一体に形成したが、中子との組付性や溶融樹脂の流れなどを考慮して、分割体で形成し、これを組み合わせてもよい。
（５）−３  ホースＨは、外側挟持部材１２および内側挟持部材１３との接続強度を高めるために、射出成形する前に、ホースＨの内周面および外周面に接着剤を塗布してもよい。また、同様に、ホースの内外周面に凹所や粗面を形成して、抜止力を高めてもよい。
（５）−４  上記実施例では、内側連結部１５は、コネクタ本体１１および内側挟持部材１３と同じ樹脂材料を用いて接合強度を高めたが、これに限らず、異なった樹脂材料や金属部材であってもよく、これによりアンカー部１５ｃの機械的強度を高めることができる。
（５）−５  アンカー部は、上記実施例のように周方向の一部に突設した構成について説明したが、これに限らず、全周にわたって形成してもよい。また、アンカー部は、上記実施例では、爪１５ｅにより形成したが、これに限らず、内側基部１４との一体性を高める構成であれば、透孔や切欠きなど内側基部１４を形成する樹脂の一部がアンカー部に回り込む構成であればよい。
（５）−６  上記実施例では、ラジエータ用のゴムホースに適用した構成を説明したが、これに限らず、他の用途に応じて種々の構成をとることができ、例えば、燃料配管用の樹脂製ホースに適用してもよい。
【図面の簡単な説明】
【００１７】
【図１】本発明の一実施例にかかるパイプを接続したコネクタを示す断面図である。
【図２】コネクタを示す断面図である。
【図３】コネクタを製造する工程を説明する説明図である。
【図４】内側連結部を示す斜視図である。
【図５】図３に続く工程を説明する説明図である。
【図６】図５に続く工程を説明する説明図である。
【図７】他の実施例にかかるコネクタを示す断面図である。
【符号の説明】
【００１８】
１０...コネクタ
１０Ｂ...コネクタ
１１...コネクタ本体
１１ａ...通路
１１ｂ...切欠き
１１ｃ...保持溝
１２...外側挟持部材
１３...内側挟持部材
１４...内側基部
１５...内側連結部
１５ａ...円筒部
１５ｂ...拡張部
１５ｃ...アンカー部
１５ｄ...脚部
１５ｅ...爪
１６...ホース挿入間隙
２０...Ｏリング
２１...スペーサ
２２...抜止金具
３０...中子
３１...大径部
３２...接続段部
３３...小径部
４０...金型
４１...上型
４２...下型
４３...キャビティ
４３ａ...キャビティ
Ｐ...パイプ
Ｐａ...溝
Ｈ...ホース
Ｈａ...内層
Ｈｂ...外層
Ｈｃ...補強層
【図１】
0004561540.tif 000002
【図２】
0004561540.tif 000003
【図３】
0004561540.tif 000004
【図４】
0004561540.tif 000005
【図５】
0004561540.tif 000006
【図６】
0004561540.tif 000007
【図７】
0004561540.tif 000008